(57)【要約】【課題】  常開部に異物が付着し難く常開部に付着した異物を自動的に排除できるレバーフロート式ドレントラップを提供する。【解決手段】  弁室６と出口２を連通する弁口７，８を開けた弁座９を弁室６の下部に形成する。弁室６内に設けられた支持孔１１に回転可能に支持された揺動軸１２にレバー１３を連結する。弁室６内の液位に応じて浮上降下するフロート１４をレバー１３に連結すると共に弁座９に離着座して弁口７，８を開閉する弁体１７をレバー１３に連結する。揺動軸１２を断面扇形に形成すると共に、支持孔１１を揺動軸１２の断面扇形よりも中心角の大きな断面扇形に形成する。揺動軸１２の断面扇形の上部半径部２２が支持孔１１の断面扇形の上部半径部２３に当接することにより弁体１７が弁座９に着座することを防止して弁座９と弁体１７の間に弁座９のシール面の全面に渡る常開隙間２４，２５を設ける。【選択図】      図１
2012037029.tif 000002
【特許請求の範囲】
【請求項１】
ケーシングで入口と弁室と出口を形成し、弁室と出口を連通する弁口を開けた弁座を弁室の下部に形成し、弁室内に設けられた支持孔に回転可能に支持された揺動軸にレバーを連結し、弁室内の液位に応じて浮上降下するフロートをレバーに連結すると共に弁座に離着座して弁口を開閉する弁体をレバーに連結したものにおいて、揺動軸を断面扇形に形成すると共に、支持孔を揺動軸の断面扇形よりも中心角の大きな断面扇形に形成し、揺動軸の断面扇形の上部半径部が支持孔の断面扇形の上部半径部に当接することにより弁体が弁座に着座することを防止して弁座と弁体の間に弁座のシール面の全面に渡る常開隙間を設けたことを特徴とするレバーフロート式ドレントラップ。
【発明の詳細な説明】
【技術分野】
【０００１】
本発明は、蒸気配管系や圧縮空気配管系やガス配管系に発生するドレンをフロートを用いて自動的に排出するレバーフロート式ドレントラップに関する。
【背景技術】
【０００２】
従来のフロート式ドレントラップは、例えば特許文献１に開示されている。これは、ケーシングで入口と弁室と出口を形成し、弁室と出口を連通する弁口を開けた弁座を弁室の下部に形成し、弁室内にフロートを収容し、弁室内の液位に応じて浮上降下するフロートが直接にあるいはレバーを介して弁体が弁座に離着座して弁口を開閉するものにおいて、弁座のシール面に複数の切欠きを設けることにより弁座とフロートあるいは弁体の間に複数の常開開口を形成したものである。この切欠きによる常開開口の総開口面積は蒸気の漏出を防止するために配管系の送気時に発生するドレンを排出しきれない大きさに形成される。
【先行技術文献】
【特許文献】
【０００３】
【特許文献１】特開昭５２−１５１９３３号公報
【発明の概要】
【発明が解決しようとする課題】
【０００４】
上記従来のフロート式ドレントラップにおいては、各切欠きによる各常開開口の開口面積が比較的小さく一定であるために、各常開開口を流下するドレン中のゴミ、錆、スケール等の異物が各常開開口の表面に付着し易く次第に堆積して比較的短期間に各常開開口が詰まってしまう問題点があった。また、弁体が弁口を全開した位置から更にレバーが開弁方向に回転したときにフロートが弁室頂壁に衝突して損傷する問題点があった。
【０００５】
したがって本発明が解決しようとする課題は、常開部に異物が付着し難く常開部に付着した異物を自動的に排除できるレバーフロート式ドレントラップを提供することである。
【課題を解決するための手段】
【０００６】
上記の課題を解決するために、本発明のレバーフロート式ドレントラップは、ケーシングで入口と弁室と出口を形成し、弁室と出口を連通する弁口を開けた弁座を弁室の下部に形成し、弁室内に設けられた支持孔に回転可能に支持された揺動軸にレバーを連結し、弁室内の液位に応じて浮上降下するフロートをレバーに連結すると共に弁座に離着座して弁口を開閉する弁体をレバーに連結したものにおいて、揺動軸を断面扇形に形成すると共に、支持孔を揺動軸の断面扇形よりも中心角の大きな断面扇形に形成し、揺動軸の断面扇形の上部半径部が支持孔の断面扇形の上部半径部に当接することにより弁体が弁座に着座することを防止して弁座と弁体の間に弁座のシール面の全面に渡る常開隙間を設けたことを特徴とするものである。
【発明の効果】
【０００７】
本発明によれば、揺動軸を断面扇形に形成すると共に、支持孔を揺動軸の断面扇形よりも中心角の大きな断面扇形に形成し、揺動軸の断面扇形の上部半径部が支持孔の断面扇形の上部半径部に当接することにより弁体が弁座に着座することを防止して弁座と弁体の間に弁座のシール面の全面に渡る常開隙間を設けたものであるので、弁座と弁体の間に設けられる弁座のシール面の全面に渡る常開隙間に異物が付着し難くなると共に、常開隙間に付着した異物は弁体が弁座から更に離間したときに弁座と弁体の間を弁口に向かって流下する流体により自動的に排除されるという効果を奏する。
【図面の簡単な説明】
【０００８】
【図１】本発明の実施の形態に係わるレバーフロート式ドレントラップの断面図である。
【発明を実施するための形態】
【０００９】
以下、本発明の実施の形態について、図１を参照して説明する。レバーフロート式ドレントラップは、入口１と出口２を有する本体３に蓋体４をボルト５で締結して内部に弁室６を有するケーシングを構成する。弁室６と出口２を連通する第１弁口７及び第２弁口８を有する弁座９を弁室６の下部の本体３に図示しないねじにより取り付ける。入口１は弁室６の下部に開口し、出口２は第１弁口７及び第２弁口８を介して弁室６の下部に開口する。
【００１０】
弁座９に図示しないねじにより取り付けた支持部材１０の支持孔１１に揺動軸１２を回転可能に支持する。揺動軸１２の回転に伴って回転するように揺動軸１２にレバー１３の右端部を嵌合して連結する。レバー１３の左端に弁室６内の液位に応じて浮上降下する中空球形のフロート１４を連結する。揺動軸１２は断面扇形に形成し、中心角部をフロート１４の中心に向けてレバー１３に連結する。支持孔１１は揺動軸１２の断面扇形よりも中心角が大きく半径が同一の断面扇形に形成する。レバー１３の右端に揺動軸１２と平行な連結軸１５を支持し、連結軸１５に連結棒１６の上部を回転可能に連結する。連結棒１６の下部は弁体１７の弁棒１８の上端部に支持された揺動軸１２と平行な弁軸１９に回転可能に連結する。
【００１１】
弁体１７は第１弁口７を下方の出口２側から開閉する第１弁体２０と、第２弁口８を下方の弁室６側から開閉する第２弁体２１と、第１弁体１８と第２弁体１９を連結する弁棒１８とから構成する。揺動軸１２の断面扇形の上部半径部２２が支持孔１１の断面扇形の上部半径部２３に当接することにより第１弁体２０及び第２弁体２１が弁座９に着座することを防止して弁座９と第１弁体２０及び第２弁体２１の間に弁座９のシール面の全面に渡る常開隙間２４, ２５を設ける。
【００１２】
上記のレバーフロート式ドレントラップの動作は次の通りである。弁室６内の液位が低い場合は、図１に示すようにフロート１４は降下し、揺動軸１２の断面扇形の上部半径部２２が支持孔１１の断面扇形の上部半径部２３に当接して第１弁体２０及び第２弁体２１が弁座９に着座することを防止している。これにより、弁座９と第１弁体２０及び第２弁体２１の間に弁座９のシール面の全面に渡る常開隙間２４, ２５を形成して、弁室６のドレンを常開隙間２４，２５から出口２に排出する。常開隙間２４，２５は弁座９と第１弁体２０及び第２弁体２１の間に弁座９のシール面の全面に渡って設けられるので異物が付着し難い。入口１から流入するドレンによって弁室６内の液位が上昇すると、フロート１４が上動してレバー１３が揺動軸１２を中心に時計回り方向に回転する。このレバー１３の回転により、連結棒１６を介して弁体１７が下動して第１弁体２０及び第２弁体２１が弁座９から更に離間して、弁室６のドレンを開口面積が大きくなった常開隙間２４，２５から出口２に排出する。このとき、常開隙間２４，２５に付着した異物は弁座９と第１弁体１９及び第２弁体２０の間を出口２に向かって流下するドレンにより自動的に排除される。
【００１３】
ドレンの排出により弁室６内の液位が低下すると、フロート１４が下動してレバー１３が揺動軸１２を中心に反時計回り方向に回転する。このレバー１３の回転により、連結棒１６を介して弁体１７が上動して第１弁体２０及び第２弁体２１が第１弁口７及び第２弁口８に近づく。そして、揺動軸１２の断面扇形の上部半径部２２が支持孔１１の断面扇形の上部半径部２３に当接することにより、第１弁体２０及び第２弁体２１が弁座９に着座することを防止し、弁座９と第１弁体２０及び第２弁体２１の間に弁座９のシール面の全面に渡る常開隙間２４，２５を形成して、弁室６のドレンを常開隙間２４，２５から出口２に排出する。
【産業上の利用可能性】
【００１４】
本発明は、蒸気配管系や圧縮空気配管系やガス配管系に発生するドレンをフロートを用いて自動的に排出するレバーフロート式ドレントラップに利用することができる。
【符号の説明】
【００１５】
１  入口
２  出口
３  本体
４  蓋体
６  弁室
７  第１弁口
８  第２弁口
９  弁座
１０  支持部材
１１  支持孔
１２  揺動軸
１３  レバー
１４  フロート
１７  弁体
１８  弁棒
２０  第１弁体
２１  第２弁体
２２  揺動軸の上部半径部
２３  支持孔の上部半径部
２４，２５  常開隙間
【図１】
2012037029.tif 000003